(57)【要約】【課題】机上の作業の妨げとなることなく、細かな物品を収容することができるとともに、蓋板等を開閉することなく、収容物品を出し入れすることができ、しかも、物品収容部に収容した物品を効率よく取り出せるようにした机、特に採血台として好適な机を提供する。【解決手段】天板１の前部下面に、前下方に向かって傾斜する棚板６と、棚板６を、天板１の下面から下方に離間するようにして支持する支持手段７とを備える物品収容部５を設ける。【選択図】  図１
2016016138.tif 000002
【特許請求の範囲】
【請求項１】
天板の前部下面に、前下方に向かって傾斜する棚板と、前記棚板を、前記天板の下面から下方に離間するようにして支持する支持手段とを備える物品収容部を設けたことを特徴とする机。
【請求項２】
棚板の前端部に、棚板上に載置された物品の落下防止手段を設けた請求項１記載の机。
【請求項３】
落下防止手段が、棚板の前端から起立し、かつ高さを、棚板の前端から天板の下面までの距離より小とした起立縁を備えている請求項２記載の机。
【請求項４】
支持手段が、棚板の両側端より起立し、かつ上端が天板の下面に固着された左右１対の側板を備えるものとし、さらに、前記各側板と落下防止手段との間に、空隙を設けた請求項２または３記載の机。
【請求項５】
物品収容部に、前後方向を向く仕切部材を着脱可能として設け、物品収容部内を複数の個別収容部に区分した請求項１〜４のいずれかに記載の机。
【請求項６】
天板の前縁に、平面視において後方に向かう凹入部を設け、この凹入部の下方に、棚板の少なくとも前部が位置するようにした請求項１〜５のいずれかに記載の机。
【請求項７】
採血台とした請求項１〜６のいずれかに記載の机。
【発明の詳細な説明】
【技術分野】
【０００１】
本発明は、採血台として使用するのに好適な机に関する。
【背景技術】
【０００２】
病院等の医療施設において使用されている採血台は、医療従事者が患者と対面し、患者が採血台上に載置した肘置きマット上に肘を乗せて、医療従事者が注射器を用いて採血作業を行う関係から、奥行き寸法が一般の机より小さく設定されている(例えば特許文献１参照)。
【０００３】
そのため、注射器その他の医療用備品等を、採血台上に載置するスペースがなく、それらを無理に載置すると、患者が採血台上に腕を乗せる際に、それらに当たって、落下するおそれがある。
【０００４】
このようなおそれをなくすため、採血台本体の手前に、注射器専用の載置凹部やキャップ保持部を設けたものがある(例えば特許文献２参照)。
【０００５】
また、採血台に、引出しや蓋板付きの収容空間を設けることが考えられる(例えば特許文献３および４参照)。
【先行技術文献】
【特許文献】
【０００６】
【特許文献１】特許第３５７２５４３号公報
【特許文献２】特開平８−２６６５１９号公報
【特許文献３】特開昭６１−１８１５３２号公報
【特許文献４】実開平１−８４１２４号公報
【発明の概要】
【発明が解決しようとする課題】
【０００７】
しかし、特許文献２に記載されているものは、載置しうる物品が注射器等に限定されており、それ以外の、例えば採血用容器、ゴムキャップ、止血用バンド等の医療用備品等をも載置しうる収容部を設けることが望まれている。
【０００８】
採血台に、特許文献３に記載されているような引出しを設けると、採血作業時に、医療従事者が患者に向かって手を伸ばしている状態で、引出しを出し入れするのが困難であり、同様に、特許文献４に記載されている収容部のように、蓋板を開閉するのも困難である。
また、開いた引出しや蓋板は、採血作業の妨げとなる。
【０００９】
本発明は、従来の技術が有する上記のような問題点に鑑みてなされたもので、机上の作業の妨げとなることなく、細かな物品を収容することができるとともに、蓋板等を開閉することなく、収容物品を出し入れすることができ、しかも、物品収容部に収容した物品を効率よく取り出せるようにした机、特に採血台として好適な机を提供することを目的としている。
【課題を解決するための手段】
【００１０】
本発明によると、上記課題は、次のようにして解決される。
（１）天板の前部下面に、前下方に向かって傾斜する棚板と、前記棚板を、前記天板の下面から下方に離間するようにして支持する支持手段とを備える物品収容部を設ける。
【００１１】
このような構成によると、机上の作業の妨げとなることなく、細かな物品を物品収容部に収容することができるとともに、机上の作業中においても、蓋板等を開閉することなく、収容物品を出し入れすることができ、しかも、物品収容部の後部に収容した物品は、棚板の傾斜に沿って前方に摺動するか、もしくは転動するか、または軽力で前方に引き出すことができ、効率よく取り出すことができる。
さらに、棚板が前下方に向かって傾斜していることにより、棚板の前端と天板の下面との間隔が大となり、棚板の前方からも、物品を物品収容部へ出し入れし易くなる。
したがって、採血台として、特に、医療従事者が椅子に着座して、採血作業をするとき用の採血台として、好適に使用することができる。
【００１２】
（２）上記(１)項において、棚板の前端部に、棚板上に載置された物品の落下防止手段を設ける。
【００１３】
このような構成によると、落下防止手段により、棚板の傾斜に沿って前方に移動してきた収容物品が、棚板の前端から落下するのを防止することができる。
【００１４】
（３）上記(２)項において、落下防止手段が、棚板の前端から起立し、かつ高さを、棚板の前端から天板の下面までの距離より小とした起立縁を備えるものとする。
【００１５】
このような構成によると、天板の前縁と起立縁の上端との間に形成される空間を通して、物品収容部に収容した物品を、前上方から取り出したり、物品を物品収容部に収容したりすることができる。
この物品の出し入れは、天板上で作業している間においても、容易に行うことができる。
【００１６】
（４）上記(２)または(３)項において、支持手段が、棚板の両側端より起立し、かつ上端が天板の下面に固着された左右１対の側板を備えるものとし、さらに、各側板と落下防止手段との間に、空隙を設ける。
【００１７】
このような構成によると、傾斜した棚板に沿って前下方に集めた塵埃を、側板と落下防止手段との間に形成した空隙を通して、外部に払い落とすことができ、清掃作業が容易である。
【００１８】
（５）上記(１)〜(４)項のいずれかにおいて、物品収容部に、前後方向を向く仕切部材を着脱可能として設け、物品収容部内を複数の個別収容部に区分する。
【００１９】
このような構成によると、複数の物品を、整理して物品収容部に収容することができ、また、物品収容部内を清掃する際には、仕切部材を物品収容部から取り外すことにより、棚板上の全範囲を隅々まで清掃することができ、さらに、上記(４)項の限定事項と結合することにより、最後に溜まった塵埃を、側板と落下防止手段との間に形成した空隙を通して、外部に払い落とすことができる。
したがって、清掃作業が容易である。
【００２０】
（６）上記(１)〜(５)項のいずれかにおいて、天板の前縁に、平面視において後方に向かう凹入部を設け、この凹入部の下方に、棚板の少なくとも前部が位置するようにする。
【００２１】
このような構成によると、物品収容部が天板の下方に配設され、かつ物品収容部の少なくとも一部が、凹入部を介して上方に開口しているので、物品収容部が机上の作業の妨げになることはなく、しかも机上の作業中においても、物品収容部に収容した物品を前方からだけでなく、上方からも楽に取り出したり、戻したりすることができる。
したがって、採血台として好適に使用することができる。特に、採血台として使用する際には、医療従事者が椅子に着座した状態でも、起立した状態でも、ともに好適に採血作業を行うことができる。
【００２２】
（７）上記(１)〜(６)項のいずれかにおいて、机を、採血台とする。
【００２３】
このような構成によると、物品収容部が机上の採血作業の妨げになることはなく、しかも採血作業中においても、物品収容部に収容した採血用容器、ゴムキャップ、止血用バンド等の物品を楽に取り出したり、戻したりすることができ、さらに、物品収容部の後部に収容した物品を、効率よく取り出すことができる採血台を提供することができる。
【発明の効果】
【００２４】
本発明によると、机上の作業の妨げとなることなく、細かな物品を収容することができるとともに、蓋板等を開閉することなく、収容物品を出し入れすることができ、しかも、物品収容部に収容した物品を効率よく取り出せるようにした机、特に採血台として好適な机を提供することができる。
【図面の簡単な説明】
【００２５】
【図１】本発明の机の一実施形態の斜視図である。
【図２】同じく平面図である。
【図３】図２のIII−III線縦断正面図である。
【図４】図２のIV−IV線拡大縦断側面図である。
【図５】物品収容部の分解斜視図である。
【発明を実施するための形態】
【００２６】
以下、本発明の机の一実施形態を、図１〜図５に基づいて説明する。
この机は、採血台として使用するときのものであり、平面視において、左右方向に長いほぼ直方形をなす天板１の下面における４隅に、４本の脚２が、それぞれ脚取付金具３を介して取り付けられている。
なお、４本の脚２に代えて、前後方向を向く左右１対の板状の側脚とその前後方向の中間部同士を連結する左右方向を向く幕板(いずれも図示略)とをもって、天板１を支持したり、前後方向の長さが天板１の奥行方向の長さよりも小である左右１対の板状の側脚板とその下端部に固着されて床面に接地されるベース脚とからなる側面視Ｌ字状の側脚をもって、天板１を支持することもある。
【００２７】
本発明においては、天板１の形状や、上記の脚２の種々の態様に関係なく、天板１における２辺の長手縁のいずれか一方を、医療従事者が位置する前縁とし、同じく他方を、被採血者が位置する後縁とし、図２における図面上の下方を前方、同じく上方を後方とする。
【００２８】
図１、図２および図４に示すように、天板１の前縁における中央部には、平面視台形状をなして後方に向かう凹入部４が設けられている。
【００２９】
天板１の下方には、少なくとも一部が、凹入部４を介して上方に開口し、かつ後部が、天板１の下方において、後方に延出するようにした物品収容部５が、全体が天板１の凹入部４を除く前縁より後方に位置するようにして設けられている。
【００３０】
物品収容部５は、前下方に向かって傾斜して物品を支持する棚板６と、この棚板６を、天板１の下面から下方に離間するようにして支持する支持手段７とを備えている。
【００３１】
支持手段７は、天板１の下面における凹入部４の両側方に上端が固着され、かつ下端によって棚板６の両側端を支持する左右１対の側板８を備えている。
両側板８の上端に、天板１の下面と平行をなす取付片８ａを連設し、各取付片８ａを天板１の下面に、固定ねじ９をもって固着することにより、両側板８および棚板６は、天板１の下面に強固に取り付けられている。
【００３２】
棚板６の前端部には、棚板６上に載置された物品のための落下防止手段１０が設けられている。
この実施形態においては、落下防止手段１０は、棚板６の前端から起立し、かつ高さを、棚板６の前端から天板１の下面までの距離より小とした起立縁１１を備えるものとしてある。
【００３３】
左右の側板８の奥行き寸法は、棚板６の奥行き寸法より小とし、各側板８の前端と、起立縁１１の側端との間に、空隙１２が形成されるようにしてある。
この空隙１２は、傾斜した棚板６に沿って前下方に集めた塵埃を、この空隙を通して外部に払い落とすことができるようにし、清掃作業を容易にするためである。
【００３４】
棚板６の後端には、高さを、棚板６の後端から天板１の下面までの距離より小とした後面板１３が設けられている。
この後面板１３の上端には、側面視下向きコ字状をなして後下方に折曲形成した折返し縁１３ａが設けられている。この折返し縁１３ａは、後面板１３の上縁の補強と、後述する仕切部材１４のためのガイドレールをなしている。
【００３５】
物品収容部５には、前後方向を向く複数の仕切部材１４が、着脱可能として設けられ、物品収容部５内を複数の個別収容部に区分しうるようにしてある。
各仕切部材１４は、図５に示すように、前後方向を向く垂直の仕切板１５と、その下端より左右いずれかに折曲形成した水平片１６と、仕切板１５の後端上部に固着され、かつ後面板１３の折返し縁１３ａに上方より跨嵌しうるようにした側面視下向きコ字状の係合部１７とからなっている。
【００３６】
各仕切部材１４は、係合部１７を後面板１３の折返し縁１３ａに上方より跨嵌し、かつ水平片１６を棚板６の上面に当接させて、左右方向に摺動させることにより、物品収容部５内の任意の位置に移動させることができるようになっている。
この１または複数の仕切部材１４を物品収容部５内に設けることにより、複数の物品を、整理して物品収容部５に収容することができる。
また、物品収容部５内を清掃する際には、仕切部材１４を物品収容部５から取り外すことにより、棚板６上の全範囲を隅々まで清掃することができる。
【００３７】
この机は、以上のように、物品収容部５が天板の下方に配設され、かつ物品収容部５の少なくとも一部が、凹入部４を介して上方に開口しているので、物品収容部５が机上の採血作業の妨げになることはなく、しかも机上の採血作業の途中においても、物品収容部５に収容した物品を楽に取り出したり、戻したりすることができる。
したがって、採血台として好適に使用することができる。特に、採血台として使用する際には、医療従事者が椅子に着座した状態でも、起立した状態でも、ともに好適に採血作業を行うことができる。
【００３８】
また、物品収容部５の後部に収容した物品は、棚板６の傾斜に沿って前方に摺動するか、もしくは転動するか、または軽力で前方に引き出すことができ、効率よく取り出すことができる。
さらに、棚板６が前下方に向かって傾斜していることにより、天板１の下面と棚板６の前端または起立縁１１の上端との間隔が大となり、棚板６の前方からも、物品を物品収容部５へ出し入れし易くなる。
したがって、採血台として、特に、医療従事者が椅子に着座して、採血作業をするとき用の採血台として、好適に使用することができる。
【００３９】
物品収容部５は、天板１の前縁より前方に突出することはないので、医療従事者は天板に近づいて採血作業をすることができるとともに、天板における凹入部４の側方の上面を物品載置領域とすることができる。
【００４０】
また、落下防止手段１０により、棚板６の傾斜に沿って前方に移動してきた収容物品が、棚板６の前端から落下するのを防止することができる。
【００４１】
本発明は、上記実施形態のみに限定されるものではなく、特許請求の範囲を逸脱することなく、例えば次のような変形した態様での実施が可能である。
(１)  調剤薬局や銀行等におけるカウンターテーブルとして使用する。
(２)  落下防止手段を、棚板の前端から前方に向かって延出する水平部または上向き傾斜部とする。
(３)  天板１の前縁に凹入部４を設けないで、前縁を、左右方向を向く直線状とし、その直下か、またはそれより後方に、物品収容部５を設ける。このような構成としても、天板１の下方において、前方より物品を物品収容部５に出し入れすることができる。
【符号の説明】
【００４２】
１  天板
２  脚
３  脚取付金具
４  凹入部
５  物品収容部
６  棚板
７  支持手段
８  側板
８ａ取付片
９  固定ねじ
１０  落下防止手段
１１  起立縁
１２  空隙
１３  後面板
１３ａ折返し縁
１４  仕切部材
１５  仕切板
１６  水平片
１７  係合部
【図１】
2016016138.tif 000003
【図２】
2016016138.tif 000004
【図３】
2016016138.tif 000005
【図４】
2016016138.tif 000006
【図５】
2016016138.tif 000007